(57)【特許請求の範囲】
【請求項１】
複数の入力端，複数の出力端，およびマトリックス配置されたクロスポイントを有し、外部からの指定に従い各クロスポイントをそれぞれオン／オフすることにより、複数の入力端にそれぞれ入力するＨＤＴＶ信号およびＳＤＴＶ信号の内の指定された信号を選択して指定された出力端に出力するマトリックス切替器と、
前記マトリックス切替器の各入力端に入力する信号を検知し、その信号形式がＨＤＴＶ信号であるかＳＤＴＶ信号であるかを識別して検知情報として出力する入力信号検知部と、
前記マトリックス切替器の第１の出力端から出力されるＨＤＴＶ信号を受けてＳＤＴＶ信号に変換し、前記マトリックス切替器の第１の特定の入力端に入力するＨＤ／ＳＤ信号変換器と、
前記マトリックス切替器の第２の出力端から出力されるＳＤＴＶ信号を受けてＨＤＴＶ信号に変換し、前記マトリックス切替器の第２の特定の入力端に入力するＳＤ／ＨＤ信号変換器と、
前記マトリックス切替器の第３の出力端および第４の出力端からそれぞれ出力される２つのＨＤＴＶ信号を受けて合成処理を行い、１つのＨＤＴＶ合成出力信号として出力するＨＤ画像合成部と、
前記マトリックス切替器の第５の出力端および第６の出力端からそれぞれ出力される２つのＳＤＴＶ信号を受けて合成処理を行い、１つのＳＤＴＶ合成出力信号として出力するＳＤ画像合成部と、
外部の制御装置からの制御情報および前記入力信号検知部からの検知情報に基づき、前記マトリックス切替器を制御し各クロスポイントのオン／オフを指定する制御部とを備えることを特徴とする映像切替合成装置。
【請求項２】
前記制御部は、前記マトリックス切替器の入力端に入力する２信号を合成して指定される信号形式の合成出力信号を生成するに際して、前記２信号が互いに異なる信号形式である場合、前記２信号の内の前記合成出力信号の信号形式とは異なる信号を選択して前記ＨＤ／ＳＤ信号変換器または前記ＳＤ／ＨＤ信号変換器へ送出することを特徴とする請求項１記載の映像切替合成装置。
【請求項３】
前記制御部は、前記入力信号検知部の検知情報を監視し、前記ＨＤ／ＳＤ信号変換器または前記ＳＤ／ＨＤ信号変換器により変換された信号が前記特定の入力端に入力したことが検知されたときに、前記変換された信号および前記２信号の他方の信号を選択して前記ＨＤ画像合成部または前記ＳＤ画像合成部へ送出することを特徴とする請求項２記載の映像切替合成装置。
【請求項４】
前記制御部は、前記２信号の内の前記合成出力信号の信号形式とは異なる信号を選択して前記ＨＤ／ＳＤ信号変換器または前記ＳＤ／ＨＤ信号変換器へ送出すると共に、内蔵するカウンタを起動してシステムクロックをカウントさせ、カウント値が変換処理時間に相当する値に達したときに、前記変換された信号および前記２信号の他方の信号を選択して前記ＨＤ画像合成部または前記ＳＤ画像合成部へ送出することを特徴とする請求項２記載の映像切替合成装置。
【請求項５】
前記ＨＤ画像合成部の出力信号を、ＨＤＴＶ合成出力信号として出力させるか前記マトリックス切替器の第３の特定の入力端に帰還入力させるか選択する第１のスイッチ手段と、
前記ＨＤ／ＳＤ信号変換器の出力信号を、前記マトリックス切替器の第１の特定の入力端に帰還入力させるかＳＤＴＶ合成出力信号として出力させるか選択する第２のスイッチ手段と、
前記ＳＤ画像合成部の出力信号を、ＳＤＴＶ合成出力信号として出力させるか前記マトリックス切替器の第４の特定の入力端に帰還入力させるか選択する第３のスイッチ手段と、
前記ＳＤ／ＨＤ信号変換器の出力信号を、前記マトリックス切替器の第２の特定の入力端に帰還入力させるかＨＤＴＶ合成出力信号として出力させるか選択する第４のスイッチ手段とを有することを特徴とする請求項１記載の映像切替合成装置。
【請求項６】
前記制御部は、前記マトリックス切替器の入力端に入力する２つのＨＤＴＶ信号を合成してＳＤＴＶ合成出力信号を生成するとき、前記マトリックス切替器とともに前記第１のスイッチ手段及び前記第２のスイッチ手段を制御し、前記ＨＤ画像合成部により前記２つのＨＤＴＶ信号から合成されたＨＤＴＶ合成出力信号を、前記マトリックス切替器を通して前記ＨＤ／ＳＤ信号変換器へ帰還入力し、ＳＤＴＶ合成出力信号として出力させ、前記マトリックス切替器の入力端に入力する２つのＳＤＴＶ信号を合成してＨＤＴＶ合成出力信号を生成するとき、前記マトリックス切替器とともに前記第３のスイッチ手段及び前記第４のスイッチ手段を制御し、前記ＳＤ画像合成部により前記２つのＳＤＴＶ信号から合成されたＳＤＴＶ合成出力信号を、前記マトリックス切替器を通して前記ＳＤ／ＨＤ信号変換器へ帰還入力し、ＨＤＴＶ合成出力信号として出力させることを特徴とする請求項５記載の映像切替合成装置。
【発明の詳細な説明】
【０００１】
【発明の属する技術分野】
本発明は映像切替合成装置に関し、特に、複数の高精細度テレビジョン（ＨＤＴＶ：Ｈｉｇｈ  Ｄｅｆｉｎｉｔｉｏｎ  Ｔｅｌｅｖｉｓｉｏｎ）信号および複数の標準テレビジョン（ＳＤＴＶ：Ｓｔａｎｄａｒｄ  Ｄｅｆｉｎｉｔｉｏｎ  Ｔｅｌｅｖｉｓｉｏｎ）信号をそれぞれ受け、切り替えて合成する映像切替合成装置に関する。
【０００２】
【従来の技術】
図５は、従来のこの種の映像切替合成装置の一例を示すブロック図である。
【０００３】
外部の制御装置からの制御情報に基づき複数のＨＤＴＶ信号を切替合成処理しＨＤＴＶ合成出力信号として出力するＨＤＴＶ信号切替合成器１０と、外部の制御装置からの制御情報に基づき複数のＳＤＴＶ信号を切替合成処理しＳＤＴＶ合成出力信号として出力するＳＤＴＶ信号切替合成器２０と、ＨＤＴＶ信号をＳＤＴＶ信号に変換するＨＤ／ＳＤ信号変換器１４と、ＳＤＴＶ信号をＨＤＴＶ信号に変換するＳＤ／ＨＤ信号変換器２４とを備えている。
【０００４】
ＨＤＴＶ信号切替合成器１０は、入力する複数のＨＤＴＶ信号の内の指定された信号を選択し出力するマトリックス切替部１１と、マトリックス切替部１１により選択された２つのＨＤＴＶ信号の合成処理を行うＨＤ画像合成部１２と、外部の制御装置からの制御情報に基づきマトリックス切替部１１およびＨＤ画像合成部１２を制御する制御部１３とを有している。
【０００５】
ＳＤＴＶ信号切替合成器２０は、入力する複数のＳＤＴＶ信号の内の指定された信号を選択し出力するマトリックス切替部２１と、マトリックス切替部２１により選択された２つのＳＤＴＶ信号の合成処理を行うＳＤ画像合成部２２と、外部の制御装置からの制御情報に応じてマトリックス切替部２１およびＳＤ画像合成部２２を制御する制御部２３とを有している。
【０００６】
ＨＤ／ＳＤ信号変換器１４は、ＨＤＴＶ信号切替合成器１０から出力されるＨＤＴＶ信号をＳＤＴＶ信号に変換してＳＤＴＶ信号切替合成器２０へ送出する。ＳＤ／ＨＤ信号変換器２４は、ＳＤＴＶ信号切替合成器２０から出力されるＳＤＴＶ信号をＨＤＴＶ信号に変換してＨＤＴＶ信号切替合成器１０へ送出する。
【０００７】
マトリックス切替部１１，２１は、複数の入力端、複数の出力端およびマトリックス配置されたクロスポイントをそれぞれ有し、制御部１３，２３の指定するクロスポイントをオン／オフすることにより入力端に入力する信号を選択し出力端へ出力する。
【０００８】
ここで一例として、ＳＤＴＶ信号切替合成器２０のマトリックス切替部２１の入力端Ｘ２１に入力するＳＤＴＶ信号と、ＨＤＴＶ信号切替合成器１０のマトリックス切替部１１の入力端Ｘ１２に入力するＨＤＴＶ信号とを合成し、ＨＤＴＶ合成出力信号として出力する場合の動作について説明する。
【０００９】
まず、ＳＤＴＶ信号切替合成器２０の制御部２３は、外部の制御装置からの制御情報に応じて、マトリックス切替部２１の入力端Ｘ２１に入力するＳＤＴＶ信号を選択し、出力端Ｙｓを介してＳＤ／ＨＤ信号変換器２４へ送出する。
【００１０】
ＳＤ／ＨＤ信号変換器２４は、マトリックス切替部２１により選択されたＳＤＴＶ信号をＨＤＴＶ信号に変換し、ＨＤＴＶ信号切替合成器１０のマトリックス切替部１１の入力端Ｘｈへ送出する。
【００１１】
ＨＤＴＶ信号切替合成器１０の制御部１３は、外部の制御装置からの制御情報に応じて、マトリックス切替部１１の入力端Ｘｈに入力する変換されたＨＤＴＶ信号および入力端Ｘ１２に入力するＨＤＴＶ信号を選択し、ＨＤ画像合成部１２へ出力する。
【００１２】
ＨＤ画像合成部１２は、マトリックス切替部１１の出力端Ｙ１１，Ｙ１２を介して２つのＨＤＴＶ信号を受け、制御部１３に制御されて画像合成処理を行ってＨＤＴＶ合成出力信号として出力する。
【００１３】
同様にして、ＳＤＴＶ信号とＨＤＴＶ信号とを合成してＳＤＴＶ合成出力信号として出力することができる。
【００１４】
【発明が解決しようとする課題】
上述した従来例では、ＨＤＴＶ信号の切替合成処理を行うＨＤＴＶ信号切替合成器、およびＳＤＴＶ信号の切替合成処理を行うＳＤＴＶ信号切替合成器とをそれぞれ別々に動作させている。
【００１５】
このため、外部の制御装置の制御が複雑化する。また、これら信号切替合成器と外部の制御装置との間の伝送路のトラフィック状態や、ＳＤ／ＨＤ信号変換器およびＨＤ／ＳＤ信号変換器での信号変換処理に要する時間のばらつき等により、制御タイミングにずれが生じることがあり、信号変換された信号が到着する前に画像合成が開始される等の事態が発生して正常な合成処理ができないという問題点を有している。
【００１６】
本発明の目的は、制御を複雑化することなく、制御タイミングのずれが生じることなく、ＳＤＴＶ信号とＨＤＴＶ信号とを確実に切替合成処理できる映像切替合成装置を提供することにある。
【００１７】
【課題を解決するための手段】
本発明の映像切替合成装置は、複数の入力端，複数の出力端，およびマトリックス配置されたクロスポイントを有し、外部からの指定に従い各クロスポイントをそれぞれオン／オフすることにより、複数の入力端にそれぞれ入力するＨＤＴＶ信号およびＳＤＴＶ信号の内の指定された信号を選択して指定された出力端に出力するマトリックス切替器と、前記マトリックス切替器の各入力端に入力する信号を検知し、その信号形式がＨＤＴＶ信号であるかＳＤＴＶ信号であるかを識別して検知情報として出力する入力信号検知部と、前記マトリックス切替器の第１の出力端から出力されるＨＤＴＶ信号を受けてＳＤＴＶ信号に変換し、前記マトリックス切替器の第１の特定の入力端に入力するＨＤ／ＳＤ信号変換器と、前記マトリックス切替器の第２の出力端から出力されるＳＤＴＶ信号を受けてＨＤＴＶ信号に変換し、前記マトリックス切替器の第２の特定の入力端に入力するＳＤ／ＨＤ信号変換器と、前記マトリックス切替器の第３の出力端および第４の出力端からそれぞれ出力される２つのＨＤＴＶ信号を受けて合成処理を行い、１つのＨＤＴＶ合成出力信号として出力するＨＤ画像合成部と、前記マトリックス切替器の第５の出力端および第６の出力端からそれぞれ出力される２つのＳＤＴＶ信号を受けて合成処理を行い、１つのＳＤＴＶ合成出力信号として出力するＳＤ画像合成部と、外部の制御装置からの制御情報および前記入力信号検知部からの検知情報に基づき、前記マトリックス切替器を制御し各クロスポイントのオン／オフを指定する制御部とを備えている。
【００１８】
前記制御部は、前記マトリックス切替器の入力端に入力する２信号を合成して指定される信号形式の合成出力信号を生成するに際して、前記２信号が互いに異なる信号形式である場合、前記２信号の内の前記合成出力信号の信号形式とは異なる信号を選択して前記ＨＤ／ＳＤ信号変換器または前記ＳＤ／ＨＤ信号変換器へ送出する。
【００１９】
また、前記制御部は、前記入力信号検知部の検知情報を監視し、前記ＨＤ／ＳＤ信号変換器または前記ＳＤ／ＨＤ信号変換器により変換された信号が前記特定の入力端に入力したことが検知されたときに、前記変換された信号および前記２信号の他方の信号を選択して前記ＨＤ画像合成部または前記ＳＤ画像合成部へ送出する。
【００２０】
更に、前記制御部は、前記２信号の内の前記合成出力信号の信号形式とは異なる信号を選択して前記ＨＤ／ＳＤ信号変換器または前記ＳＤ／ＨＤ信号変換器へ送出すると共に、内蔵するカウンタを起動してシステムクロックをカウントさせ、カウント値が変換処理時間に相当する値に達したときに、前記変換された信号および前記２信号の他方の信号を選択して前記ＨＤ画像合成部または前記ＳＤ画像合成部へ送出するようにしてもよい。
【００２１】
あるいは、上記構成において、前記ＨＤ画像合成部の出力信号を、ＨＤＴＶ合成出力信号として出力させるか前記マトリックス切替器の第３の特定の入力端に帰還入力させるか選択する第１のスイッチ手段と、前記ＨＤ／ＳＤ信号変換器の出力信号を、前記マトリックス切替器の第１の特定の入力端に帰還入力させるかＳＤＴＶ合成出力信号として出力させるか選択する第２のスイッチ手段と、前記ＳＤ画像合成部の出力信号を、ＳＤＴＶ合成出力信号として出力させるか前記マトリックス切替器の第４の特定の入力端に帰還入力させるか選択する第３のスイッチ手段と、前記ＳＤ／ＨＤ信号変換器の出力信号を、前記マトリックス切替器の第２の特定の入力端に帰還入力させるかＨＤＴＶ合成出力信号として出力させるか選択する第４のスイッチ手段とを有する構成とすることができる。前記制御部は、前記マトリックス切替器の入力端に入力する２つのＨＤＴＶ信号を合成してＳＤＴＶ合成出力信号を生成するとき、前記マトリックス切替器とともに前記第１のスイッチ手段及び前記第２のスイッチ手段を制御し、前記ＨＤ画像合成部により前記２つのＨＤＴＶ信号から合成されたＨＤＴＶ合成出力信号を、前記マトリックス切替器を通して前記ＨＤ／ＳＤ信号変換器へ帰還入力し、ＳＤＴＶ合成出力信号として出力させ、前記マトリックス切替器の入力端に入力する２つのＳＤＴＶ信号を合成してＨＤＴＶ合成出力信号を生成するとき、前記マトリックス切替器とともに前記第３のスイッチ手段及び前記第４のスイッチ手段を制御し、前記ＳＤ画像合成部により前記２つのＳＤＴＶ信号から合成されたＳＤＴＶ合成出力信号を、前記マトリックス切替器を通して前記ＳＤ／ＨＤ信号変換器へ帰還入力し、ＨＤＴＶ合成出力信号として出力させる。
【００２２】
【発明の実施の形態】
次に本発明について図面を参照して説明する。
【００２３】
図１は本発明の一実施形態を示すブロック図であり、入力する複数のＨＤＴＶ信号およびＳＤＴＶ信号を受け、外部の制御装置からの制御情報に基づき切替合成処理し、ＨＤＴＶ合成出力信号またはＳＤＴＶ合成出力信号としてそれぞれ出力する。
【００２４】
図１において、複数の入力端に入力するＨＤＴＶ信号およびＳＤＴＶ信号の内の指定された信号を選択して出力端に出力するマトリックス切替器１と、マトリックス切替器１の各入力端に入力する信号を検知識別して検知情報を出力する入力信号検知部２と、マトリックス切替器１により選択された２つのＨＤＴＶ信号の合成処理を行うＨＤ画像合成部３と、マトリックス切替器１により選択された２つのＳＤＴＶ信号の合成処理を行うＳＤ画像合成部４と、ＨＤＴＶ信号をＳＤＴＶ信号に変換するＨＤ／ＳＤ信号変換器５と、ＳＤＴＶ信号をＨＤＴＶ信号に変換するＳＤ／ＨＤ信号変換器６と、外部の制御装置からの制御情報および入力信号検知部２からの検知情報に基づきマトリックス切替器１、ＨＤ画像合成部３およびＳＤ画像合成部４をそれぞれ制御する制御部７とを有している。
【００２５】
マトリックス切替器１は、複数の入力端、複数の出力端およびマトリックス配置されたクロスポイントを有し、制御部７により指定されるクロスポイントをオン／オフして入力端に入力する信号を選択して出力端へ出力する。
【００２６】
マトリックス切替器１の複数の入力端には、外部から入力するＨＤＴＶ信号およびＳＤＴＶ信号、並びにＨＤ／ＳＤ信号変換器５およびＳＤ／ＨＤ信号変換器６の変換出力信号がそれぞれ入力する。また、マトリックス切替器１の複数の出力端は、ＨＤ画像合成部３、ＳＤ画像合成部４、ＨＤ／ＳＤ信号変換器５およびＳＤ／ＨＤ信号変換器６の入力端にそれぞれ接続されている。
【００２７】
入力信号検知部２は、マトリックス切替器１の各入力端に入力する信号を検知識別し、その信号形式がＨＤＴＶ信号なのかＳＤＴＶ信号なのかを示す検知情報を出力する。
【００２８】
なお、図１では、入力信号検知部２をマトリックス切替器１の内部に設けているが、マトリックス切替器１の外部に設けるようにしてもよい。
【００２９】
次に、入力する複数のＨＤＴＶ信号およびＳＤＴＶ信号の内の指定された２信号を合成してＨＤＴＶ合成出力信号またはＳＤＴＶ合成出力信号として出力する場合について動作を説明する。
【００３０】
ここで一例として、マトリックス切替器１の入力端Ｘ１に入力するＳＤＴＶ信号と入力端Ｘ２に入力するＨＤＴＶ信号とを合成し、ＨＤＴＶ合成出力信号またはＳＤＴＶ合成出力信号として出力するものとする。
【００３１】
図２は、制御部７の動作例を示すフローチャートである。
【００３２】
動作開始に際し、外部の制御装置から制御部７へ制御情報が送出される。この制御情報により、マトリックス切替器１の入力端Ｘ１および入力端Ｘ２に入力する２信号を合成してＨＤＴＶ合成出力信号として出力するように指示される。
【００３３】
また、入力信号検知部２は、マトリックス切替器１の各入力端に入力する信号をそれぞれ検知識別し、信号形式がＨＤなのかＳＤなのかを示す検知情報を制御部７へ通報している。
【００３４】
まず、制御部７は、外部の制御装置から制御情報を受信し（ステップ１０１）、入力信号検知部２から検知情報を受信する（ステップ１０２）。この検知情報により、入力端Ｘ１および入力端Ｘ２の入力信号の信号形式を認知する。
【００３５】
そして、マトリックス切替器１の入力端Ｘ１および入力端Ｘ２にそれぞれ入力する合成対象の２入力信号の内、指定される合成出力信号の信号形式とは異なる入力信号を選定する。ここで、指定される合成出力信号がＨＤＴＶ信号である場合、入力端Ｘ１の入力信号がＳＤＴＶ信号であるので、入力端Ｘ１の入力信号を選定する（ステップ１０３）。
【００３６】
選定した入力信号がＳＤＴＶ信号であるので（ステップ１０４）、この信号を選択し、出力端Ｙｓを介してＳＤ／ＨＤ信号変換器６へ送出する（ステップ１０５）。
【００３７】
ＳＤ／ＨＤ信号変換器６の出力端はマトリックス切替器１の入力端Ｘｈに接続されており、ＳＤ／ＨＤ信号変換器６によりＨＤＴＶ信号に変換された信号はマトリックス切替器１の入力端Ｘｈに入力する。
【００３８】
制御部７は入力信号検知部２の検知情報を監視し、変換されたＨＤＴＶ信号が入力端Ｘｈに入力したことが検知されたとき（ステップ１０６）、入力端Ｘｈに入力する変換されたＨＤＴＶ信号および入力端Ｘ２に入力するＨＤＴＶ信号をそれぞれ選択し、出力端Ｙ１およびＹ２を介してＨＤ画像合成部３へ送出する（ステップ１０７）。そして、ＨＤ画像合成部３を制御してＨＤＴＶ合成出力信号として出力させる（ステップ１０８）。
【００３９】
また、指定される合成出力信号がＳＤＴＶ信号である場合、同様に、ステップ１０３，１０４において、入力端Ｘ２の入力信号がＨＤＴＶ信号であるので、入力端Ｘ２の入力信号を選定し、出力端Ｙｈを介してＨＤ／ＳＤ信号変換器５へ送出する（ステップ１０９）。
【００４０】
ＨＤ／ＳＤ信号変換器５の出力端はマトリックス切替器１の入力端Ｘｓに接続されており、ＨＤ／ＳＤ信号変換器５によりＳＤＴＶ信号に変換された信号はマトリックス切替器１の入力端Ｘｓに入力する。
【００４１】
制御部７は入力信号検知部２の検知情報を監視し、変換されたＳＤＴＶ信号が入力端Ｘｓに入力したことが検知されたとき（ステップ１１０）、入力端Ｘｓに入力する変換されたＳＤＴＶ信号および入力端Ｘ１に入力するＳＤＴＶ信号をそれぞれ選択し、出力端Ｙ３およびＹ４を介してＳＤ画像合成部３へ送出し（ステップ１１１）、合成制御してＳＤＴＶ合成出力信号として出力させる（ステップ１１２）。
【００４２】
このように、制御部７が、外部の制御装置からの制御情報および入力信号検知部２からの検知情報に基づきマトリックス切替器１の切替制御を行うことにより、制御タイミングのずれが生じることなく、ＳＤＴＶ信号とＨＤＴＶ信号とを確実に切替合成処理できる。
【００４３】
図３は、制御部７の他の動作例を示すフローチャートである。
【００４４】
ここで、ステップ２０６，２０７およびステップ２１１，２１２以外は、図２に示したステップと同一である。すなわち、図２との相違点は、信号変換器により変換された信号および他方の入力信号を画像合成部へ送出するタイミングを設定する手段として、カウンタによりシステムクロックをカウントすることにより、信号変換処理に要する時間だけ遅延させて制御するようにした点である。
【００４５】
まず、制御部７は、外部の制御装置から制御情報を受信し（ステップ２０１）、入力信号検知部２から検知情報を受信する（ステップ２０２）。そして、マトリックス切替器１の入力端Ｘ１および入力端Ｘ２にそれぞれ入力する合成対象の２入力信号の内、指定される合成出力信号の信号形式とは異なる入力信号を選定する（ステップ２０３）。
【００４６】
選定した入力信号をＳＤ／ＨＤ信号変換器６またはＨＤ／ＳＤ信号変換器５へ送出すると共に（ステップ２０５，２１０）、内蔵するカウンタを起動してシステムクロックをカウントさせる（ステップ２０６，２１１）。
【００４７】
ところで、信号変換器５，６における変換処理時間は、信号変換器毎に差異がある。従って、変換された信号を画像合成部へ送出するタイミングは、各信号変換器の変換処理時間に応じて予め設定する。
【００４８】
システムクロックのカウント値が、該当する信号変換器の変換処理時間に相当する値に達したとき（ステップ２０７，２１２）、変換された信号および他方の入力信号を画像合成部へ送出することにより（ステップ２０８，２１３）、確実に切替合成処理できる。
【００４９】
上述した説明では、マトリックス切替器１に入力する合成対象の２信号は、互いに異なる信号形式としているが、これら２信号が同じ信号形式の場合でも、容易に対応できる。すなわち、この場合は、マトリックス切替器１に入力する２信号を選択して、信号変換器を使用することなく、ＨＤ画像合成部３もしくはＳＤ画像合成部４へ送出すればよい。
【００５０】
すなわち、入力する２信号がＨＤＴＶ信号であればＨＤ画像合成部３へ送出し、入力する２信号がＳＤＴＶ信号であればＳＤ画像合成部４へ送出すればよい。
【００５１】
図４は、本発明の他の実施形態を示すブロック図であり、入力信号が同じ信号形式であるが、合成出力信号の信号形式とは異なる場合にも対応できるようにした構成例である。
【００５２】
図４に示すように、ＨＤ画像合成部３およびＳＤ画像合成部４、並びに、ＨＤ／ＳＤ信号変換器５およびＳＤ／ＨＤ信号変換器６の出力側に、各出力信号をマトリックス切替器１の特定の入力端にそれぞれ帰還するための手段、ここでは出力スイッチ３１、４１、５１、６１をそれぞれ設けている。なお、これら出力スイッチは制御部７により制御される。
【００５３】
このように、ＨＤ画像合成部３またはＳＤ画像合成部４の合成出力信号をマトリックス切替器１の特定の入力端に帰還し、帰還した合成出力信号をＨＤ／ＳＤ信号変換器５またはＳＤ／ＨＤ信号変換器６へ出力して信号変換することにより、入力信号が同じ信号形式であるが、指定される合成出力信号の信号形式とは異なる場合にも対応できる。
【００５４】
例えば、入力する２信号がＨＤＴＶ信号であり、指定される合成出力信号がＳＤＴＶ信号である場合は、まず、入力する２信号（ＨＤＴＶ信号）をＨＤ画像合成部３へ出力してＨＤＴＶ合成出力信号を生成し、このＨＤＴＶ合成出力信号をスイッチ３１を介してマトリックス切替器１の特定の入力端Ｘ‘ｈへ帰還する。
【００５５】
この入力端Ｘ‘ｈに帰還されたＨＤＴＶ合成出力信号を選択してＨＤ／ＳＤ信号変換器５へ出力することにより、ＨＤ／ＳＤ信号変換器５の出力スイッチ５１を介してＳＤＴＶ信号に変換された合成出力信号を得ることができる。
【００５６】
【発明の効果】
以上説明したように本発明によれば、マトリックス切替器の各入力端に入力する信号を検知識別して信号形式を示す検知情報を出力する入力信号検知部を設け、制御部が、外部の制御装置からの制御情報および入力信号検知部からの検知情報に基づきマトリックス切替器の切替制御を行うことにより、制御を複雑化することなく、制御タイミングのずれが生じることなく、ＳＤＴＶ信号とＨＤＴＶ信号とを確実に切替合成できる。
【００５７】
また、ＨＤ画像合成部またはＳＤ画像合成部の合成出力信号をマトリックス切替器の特定の入力端に帰還し、帰還した合成出力信号を信号変換することにより、入力信号が同じ信号形式であるが、指定される合成出力信号の信号形式とは異なる場合にも対応できる。
【図面の簡単な説明】
【図１】本発明の一実施形態を示すブロック図である。
【図２】図１に示した制御部７の動作例を示すフローチャートである。
【図３】図１に示した制御部７の他の動作例を示すフローチャートである。
【図４】本発明の他の実施形態を示すブロック図である。
【図５】従来例を示すブロック図である。
【符号の説明】
１    マトリックス切替器
２    入力信号検知部
３    ＨＤ画像合成部
４    ＳＤ画像合成部
５    ＨＤ／ＳＤ信号変換器
６    ＳＤ／ＨＤ信号変換器
７    制御部
【図１】
0003603819.tif 000002
【図２】
0003603819.tif 000003
【図３】
0003603819.tif 000004
【図４】
0003603819.tif 000005
【図５】
0003603819.tif 000006